(57)【特許請求の範囲】
【請求項１】
走行面と、
前記走行面にタイヤを接地させ且つ転動させるタイヤ駆動装置と、
前記走行面の一部領域に載置され、タイヤの接地状態を測定するための測定用シートと、
前記測定用シートを覆う保護シートと、
前記保護シートに対してタイヤ進行方向に沿った張力を加える前後張力付加機構と、を備え、
前記走行面には、前記測定用シートのタイヤ進行方向の遅れ側及び進み側の少なくとも一方に、前記保護シートを走行面よりも下方に導く空間が形成されており、前記前後張力付加機構は、前記保護シートのタイヤ進行方向の少なくとも一端を前記走行面の下方から引っ張るように構成されている、タイヤの接地状態測定装置。
【請求項２】
前記走行面には、前記測定用シートのタイヤ進行方向の両側に、前記保護シートを走行面よりも下方に導く空間が形成されており、前記前後張力付加機構は、前記保護シートのタイヤ進行方向の両端を前記走行面の下方から引っ張るように構成されている、請求項１に記載の装置。
【請求項３】
前記保護シートに対して、タイヤ進行方向に直交する幅方向に張力を加える幅方向張力付加機構を備えている、請求項１又は２に記載の装置。
【請求項４】
前記走行面には、前記測定用シートの幅方向の両側に、前記保護シートを走行面よりも下方に導く空間が形成されており、前記幅方向張力付加機構は、前記保護シートの幅方向の両端を前記走行面の下方から引っ張るように構成されている、請求項３に記載の装置。
【請求項５】
前記測定用シートは、圧力センサシートである、請求項１〜４のいずれかに記載の装置。
【発明の詳細な説明】
【技術分野】
【０００１】
本開示は、タイヤの接地面圧及び接地面形状を測定可能なタイヤの接地状態測定装置に関する。
【背景技術】
【０００２】
タイヤの接地面圧を計測する装置として、特許文献１には、走行面と、走行面にタイヤを接地させ且つ転動させるタイヤ駆動装置と、測定用シートとして圧力センサシートと、圧力センサシートを覆う保護シートと、保護シートに対してタイヤ進行方向に張力を加える前後張力付加機構と、を有する装置が開示されている。
【０００３】
圧力センサシートは、面に垂直な方向には強度を有するものの、引っ張り力に弱い。タイヤの制動、駆動、旋回、スリップ角やキャンバー角が設定されている場合には、圧力センサシートに引っ張り力が作用するために、保護シートで保護する必要がある。タイヤの転動によって保護シードが動かないようにするために、前後張力付加機構によって、保護シートに対してタイヤ進行方向に張力を付加している。
【先行技術文献】
【特許文献】
【０００４】
【特許文献１】特開２０１３−２１７７２６号公報
【発明の概要】
【発明が解決しようとする課題】
【０００５】
前後張力付加機構によって保護シートを引っ張る必要があるが、タイヤが進行方向に進むので、前後張力付加機構がタイヤの進行を邪魔しないようにする必要がある。そのために、特許文献１では、タイヤの走行面よりも保護シートを長くして、タイヤ走行面よりも外側に前後張力付加機構を配置している。この構成では、装置がタイヤ進行方向に大きくなってしまう。
【０００６】
本開示は、このような課題に着目してなされたものであって、その目的は、装置を小型化可能なタイヤの接地状態測定装置を提供することである。
【課題を解決するための手段】
【０００７】
本開示は、上記目的を達成するために、次のような手段を講じている。
【０００８】
すなわち、本開示のタイヤの接地状態測定装置は、
走行面と、
前記走行面にタイヤを接地させ且つ転動させるタイヤ駆動装置と、
前記走行面の一部領域に載置され、タイヤの接地状態を測定するための測定用シートと、
前記測定用シートを覆う保護シートと、
前記保護シートに対してタイヤ進行方向に沿った張力を加える前後張力付加機構と、を備え、
前記走行面には、前記測定用シートのタイヤ進行方向の遅れ側及び進み側の少なくとも一方に、前記保護シートを走行面よりも下方に導く空間が形成されており、前記前後張力付加機構は、前記保護シートのタイヤ進行方向の少なくとも一端を前記走行面の下方から引っ張るように構成されている。
【０００９】
このように、走行面には、測定用シートのタイヤ進行方向の遅れ側及び進み側の少なくとも一方に、保護シートを走行面よりも下方に導く空間が形成されており、前後張力付与機構は、保護シートのタイヤ進行方向の少なくとも一端を走行面の下方から引っ張るので、タイヤの駆動開始時又は制動時のいずれかにおいて、張力付加機構がタイヤの走行に干渉せず、保護シートを必要な最低長さに設定でき、装置を小型化することが可能となる。
【図面の簡単な説明】
【００１０】
【図１】本開示における第１実施形態のタイヤ接地状態測定装置を示す側面図。
【図２Ａ】第１実施形態のタイヤ接地状態測定装置を示す平面図。
【図２Ｂ】図２ＡにおけるＡ−Ａ部位断面図。
【図３】第２実施形態のタイヤ接地状態測定装置を示す平面図。
【図４Ａ】第３実施形態のタイヤ接地状態測定装置を示す平面図。
【図４Ｂ】図４ＡにおけるＢ−Ｂ部位断面図。
【発明を実施するための形態】
【００１１】
＜第１実施形態＞
以下、本開示の第１実施形態のタイヤの接地状態測定装置について、図面を参照して説明する。
【００１２】
図１、図２Ａ及び図２Ｂに示すように、タイヤの接地状態測定装置は、タイヤＴを走行させるための走行面１と、走行面１にタイヤＴを接地させ且つ転動させるタイヤ駆動装置２と、走行面１の一部領域Ａｒ１に載置され、タイヤＴの接地状態を測定するための測定用シート３と、測定用シート３を覆う保護シート４と、を有する。
【００１３】
図２Ａ及び図２Ｂに示すように、走行面１は、平面視で矩形状をなし、測定領域Ａｒ１及び走行領域Ａｒ２を有する。本実施形態では、測定領域Ａｒ１のタイヤ進行方向ＭＤの遅れ側及び進み側の両側に走行領域Ａｒ２が設定されているが、これに限定されない。測定領域Ａｒ１のタイヤ進行方向ＭＤの遅れ側のみに走行領域Ａｒ２があってもよいし、測定領域Ａｒ１のタイヤ進行方向ＭＤの進み側のみに走行領域Ａｒ２があってもよい。
【００１４】
図１に示すように、タイヤ駆動装置２は、タイヤＴを走行面１に押圧して接地させ、タイヤ進行方向ＭＤに沿ってスライド移動することで、タイヤＴを転動させる。本実施形態では、走行面１を固定としてタイヤ駆動装置２がスライド移動する。走行面１とタイヤ駆動装置２が相対的に移動可能であれば、これに限定されない。例えば、タイヤ駆動装置２を固定とし走行面１を動かしてもよい。
【００１５】
図２Ａ及び図２Ｂに示すように、測定用シート３は、走行面１の一部領域（測定領域Ａｒ１）に載置され、固定される。本実施形態では、測定用シート３は、圧力に応じた電気信号を出力する既知の圧力センサシートであるが、これに限定されない。例えば、撮像した画像から圧力を計測する方法において使用される、撮像用シートでもよい。このシートは表面に微小突起を有し、圧力に応じて微小突起の潰れ具合が変わり、微小突起の潰れ具合に応じて画像に明暗ができることを利用した既知の測定方法である。
【００１６】
保護シート４は、測定用シート３を保護するために設けられ、或る程度の強度を有する。保護シート４の材料としては、例えば、ポリカーボネートが挙げられるが、これに限定されない。厚みは、０．５ｍｍ以下が好ましい。なお、図２Ｂにおいて、位置関係を明確に表すために、保護シート４が測定用シート３から浮いた様子で示しているが、厳密には接している。
【００１７】
走行面１には、測定用シート３のタイヤ進行方向ＭＤの両側に、保護シート４を走行面１よりも下方に導く空間６が形成されている。前後張力付加機構５は、保護シート４のタイヤ進行方向ＭＤの両端を走行面１の下方から引っ張ることで、保護シート４に対してタイヤ進行方向ＭＤに沿った張力を付与する。引っ張り機構として、保護シート４の端をロールで巻き取る構造にしてもよいし、保護シート４の端をクランプ機構で挟み込み、引っ張るようにしてもよい。
【００１８】
さらに、保護シート４に対して、タイヤ進行方向ＭＤに直交する幅方向ＷＤに張力を加える幅方向張力付加機構７が設けられている。幅方向張力付加機構７は、前後張力付加機構５と同様に構成されている。すなわち、走行面１には、測定用シート３の幅方向ＷＤの両側に、保護シート４を走行面１よりも下方に導く空間８が形成されており、幅方向張力付加機構７は、保護シート４の幅方向ＷＤの両端を走行面１の下方から引っ張るように構成されている。この場合、保護シート４は、平面視で十字状に形成されており、各々の辺が空間６，８から下方に導かれ、引っ張られている。
【００１９】
＜第２実施形態、第３実施形態、その他の変形例＞
保護シート４の形状は平面視十字状（図２Ａ参照）に限定されるものではなく、平面視で矩形状（図３参照）、又は、円形状でもよい。
【００２０】
また、幅方向張力付加機構７を、従来と同様に、水平方向に沿って引っ張るように構成してもよい。また、図３に示す第２実施形態のように幅方向張力付加機構を設けなくてもよい。空間６の形状は、図２Ａに示す第１実施形態のように走行面１内で終端する溝でもよく、図３に示す第２実施形態のように、走行面１の端に開口するスリットでもよい。
【００２１】
上記第１実施形態（図２Ａ、図２Ｂ）及び第２実施形態（図３）では、走行面１は、測定用シート３のタイヤ進行方向ＭＤの遅れ側及び進み側の両側に空間６が形成されているが、図４Ａ及び図４Ｂに示す第３実施形態のようにどちらか一方のみに空間６を形成してもよい。図４Ａ及び図４Ｂの例では、測定用シート３のタイヤ進行方向ＭＤの遅れ側のみに空間を形成している。
【００２２】
以上のように、本実施形態のタイヤの接地状態測定装置は、
走行面１と、
走行面１にタイヤＴを接地させ且つ転動させるタイヤ駆動装置２と、
走行面１の一部領域Ａｒ１に載置され、タイヤＴの接地状態を測定するための測定用シート３と、
測定用シート３を覆う保護シート４と、
保護シート４に対してタイヤ進行方向ＭＤに沿った張力を加える前後張力付加機構５と、を備え、
走行面１には、測定用シート３のタイヤ進行方向ＭＤの遅れ側及び進み側の少なくとも一方に、保護シート４を走行面１よりも下方に導く空間６が形成されており、前後張力付加機構５は、保護シート４のタイヤ進行方向ＭＤの少なくとも一端を走行面１の下方から引っ張るように構成されている。
【００２３】
この構成によれば、タイヤの駆動開始時又は制動時のいずれかにおいて、前後張力付加機構５がタイヤＴの走行に干渉せず、保護シート４を必要な最低長さに設定でき、装置を小型化することが可能となる。
【００２４】
本実施形態では、走行面１には、測定用シート３のタイヤ進行方向ＭＤの両側に、保護シート４を走行面１よりも下方に導く空間６が形成されており、前後張力付加機構５は、保護シート４のタイヤ進行方向ＭＤの両端を走行面１の下方から引っ張るように構成されている。
【００２５】
この構成によれば、タイヤの駆動開始時及び制動時の両方において、前後張力付加機構５がタイヤの走行に干渉しないので、装置をより一層小型化することが可能となる。
【００２６】
本実施形態では、保護シート４に対して、タイヤ進行方向ＭＤに直交する幅方向ＷＤに張力を加える幅方向張力付加機構７を備えている。
【００２７】
この構成によれば、保護シート４に対して幅方向ＷＤに張力を加えるので、タイヤＴを旋回させつつ制動又は駆動開始させても、保護シート４で測定用シート３を保護することが可能となる。
【００２８】
本実施形態では、走行面１には、測定用シート３の幅方向ＷＤの両側に、保護シート４を走行面１よりも下方に導く空間８が形成されており、幅方向張力付加機構７は、保護シート４の幅方向ＷＤの両端を走行面１の下方から引っ張るように構成されている。
【００２９】
この構成によれば、保護シート４に対して幅方向ＷＤに張力を加える幅方向張力付加機構７が走行面１よりも下方に配置されるので、装置を小型化することが可能となる。
【００３０】
本開示の好適な適用例として、測定用シート３は、圧力センサシートであることが挙げられる。
【００３１】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００３２】
上記の各実施形態で採用している構造を他の任意の実施形態に採用することは可能である。各部の具体的な構成は、上述した実施形態のみに限定されるものではなく、本開示の趣旨を逸脱しない範囲で種々変形が可能である。
【符号の説明】
【００３３】
１…走行面
２…タイヤ駆動装置
３…測定用シート
４…保護シート
５…前後張力付加機構
６…空間
７…幅方向張力付加機構
８…空間
ＭＤ…タイヤ進行方向
ＷＤ…幅方向
【図１】
0006545604.tif 000002
【図２Ａ】
0006545604.tif 000003
【図２Ｂ】
0006545604.tif 000004
【図３】
0006545604.tif 000005
【図４Ａ】
0006545604.tif 000006
【図４Ｂ】
0006545604.tif 000007